(57)【特許請求の範囲】
【請求項１】
吸込口及び吹出口を開口する筐体と、
前記筐体の内部に形成されて前記吸込口と前記吹出口とを連通させる送風ダクトと、
前記送風ダクトに配置されて前記送風ダクトに気流を発生させる送風機と、
前記送風ダクトを流通する気流を加湿する加湿部と、
前記加湿部に配置される貯水トレイと、
を備え、
前記筐体はその外形が略方形箱型の少なくとも一の側壁から外側に向かって横方向に突出する突出部を備え、前記送風ダクトの一部が前記突出部の内部空間から成り、
前記突出部の外形は、前記筐体の側壁の略垂直面から外側に向かって横方向に突出するドーム状であることを特徴とする加湿装置。
【請求項２】
前記突出部に前記吸込口が形成されることを特徴とする請求項１に記載の加湿装置。
【請求項３】
前記突出部の内部空間の容積が前記貯水トレイの貯水量よりも大きいことを特徴とする請求項１または請求項２に記載の加湿装置。
【請求項４】
前記突出部が外壁部及び内壁部を有する二重構造を成すとともに前記外壁部が透明部材から成ることを特徴とする請求項１〜請求項３のいずれかに記載の加湿装置。
【発明の詳細な説明】
【技術分野】
【０００１】
本発明は加湿装置に関する。
【背景技術】
【０００２】
従来、加湿装置は水の気化により室内空気を加湿するために広く利用されている。このような気化式の加湿装置の一例が特許文献１に開示されている。
【０００３】
特許文献１に記載された従来の加湿装置は外形が方形箱型をなして吸込口及び吹出口を開口する本体と、送風機と、下端部を水槽部の水に浸漬した気化フィルタとを備える。この加湿装置は、送風機によって吸込口から本体の内部に吸い込んだ室内の乾燥した空気を水槽部の水により湿潤した気化フィルタに通過させて吹出口から吹き出す。これにより、容易に室内空気を加湿することができる。
【先行技術文献】
【特許文献】
【０００４】
【特許文献１】特開２０１４−４７９６３号公報
【発明の概要】
【発明が解決しようとする課題】
【０００５】
しかしながら、特許文献１に記載された従来の加湿装置は本体筐体の外形が方形箱型を成し、前後方向において比較的薄型な形状を有するので、前後方向に転倒し易い。この加湿装置が前後方向に転倒した場合、床面に対して垂直を成す正面或いは背面の全体で転倒時の強い衝撃を受ける形となり、その衝撃で筐体自体や内部の電子部品、送風機の羽根車等が機械的破損を被る可能性が高いことが課題となっていた。
【０００６】
本発明は、上記の点に鑑みなされたものであり、転倒時の機械的破損の発生を抑制することができ、破損に対する安全性の向上が図られた加湿装置を提供することを目的とする。
【課題を解決するための手段】
【０００７】
上記の課題を解決するため、本発明の加湿装置は、吸込口及び吹出口を開口する筐体と、前記筐体の内部に形成されて前記吸込口と前記吹出口とを連通させる送風ダクトと、前記送風ダクトに配置されて前記送風ダクトに気流を発生させる送風機と、前記送風ダクトを流通する気流を加湿する加湿部と、前記加湿部に配置される貯水トレイと、を備え、前記筐体はその外形が略方形箱型の少なくとも一の側壁から外側に向かって横方向に突出する突出部を備え、前記送風ダクトの一部が前記突出部の内部空間から成ることを特徴とする。
【０００８】
この構成によると、例えば床に置かれた加湿装置が、突出部が設けられた側壁が下になるように転倒する場合、突出部がない場合と比較して、垂直をなす側壁よりも先に、且つ早いタイミングで突出部が床に接触する。これにより、突出部が設けられた側壁の床への接触時の速度が、突出部がない場合と比較して低減し、加湿装置が転倒時に受ける衝撃が緩和される。さらに、送風ダクトの一部が突出部の内部空間から成るので、加湿装置が転倒したときに貯水トレイからこぼれた水が突出部の部分に貯まる。これにより、貯水トレイからこぼれた水が筐体内部の電子部品まで届かない。
【０００９】
また、上記構成の加湿装置において、前記突出部の外形が湾曲面で形成されることを特徴とする。
【００１０】
また、上記構成の加湿装置において、前記突出部に前記吸込口が形成されることを特徴とする。
【００１１】
また、上記構成の加湿装置において、前記突出部の内部空間の容積が前記貯水トレイの貯水量よりも大きいことを特徴とする。
【００１２】
また、上記構成の加湿装置において、前記突出部が外壁部及び内壁部を有する二重構造を成すとともに前記外壁部が透明部材から成ることを特徴とする。
【発明の効果】
【００１３】
本発明の構成によれば、加湿装置が転倒時に受ける衝撃を緩和することができ、加湿装置の機械的破損の発生を抑制することが可能である。さらに、加湿装置の転倒時に貯水トレイからこぼれた水が筐体内部の電子部品まで届かないようにすることができ、加湿装置の電気的破損の発生を抑制することが可能である。また、加湿装置において薄型のデザインを保ちつつ貯水トレイの容量を増加させることができ、貯水トレイに十分な水量を保持することが可能になる。
【図面の簡単な説明】
【００１４】
【図１】本発明の第１実施形態に係る加湿装置の正面図である。
【図２】本発明の第１実施形態に係る加湿装置の側面図である。
【図３】本発明の第１実施形態に係る加湿装置の正面側から見た斜視図である。
【図４】本発明の第１実施形態に係る加湿装置の背面側から見た斜視図である。
【図５】本発明の第１実施形態に係る加湿装置の垂直断面側面図である。
【図６】本発明の第１実施形態の加湿装置の正面側から見た垂直断面斜視図である。
【図７】本発明の第１実施形態の加湿装置の背面側から見た垂直断面斜視図である。
【図８】本発明の第１実施形態の加湿装置の窓部の色彩に係る説明図である。
【図９】本発明の第１実施形態の加湿装置の転倒時の状態を示す側面図である。
【図１０】本発明の第１実施形態の加湿装置の転倒後の状態を示す側面図である。
【図１１】本発明の第２実施形態に係る加湿装置の側面図である。
【図１２】本発明の第３実施形態に係る加湿装置の側面図である。
【発明を実施するための形態】
【００１５】
以下、本発明の実施形態を図面に基づき説明する。なお、本説明で用いられる「垂直」、「方形」は方向や形状の単なる目安であり、厳密な意味で垂直であること、方形であることを要求するものではない。
【００１６】
＜第１実施形態＞
最初に、本発明の第１実施形態に係る加湿装置について、図１〜図７を用いてその構造の概略を説明する。図１及び図２は加湿装置の正面図及び側面図である。図３及び図４は加湿装置の正面側及び背面側から見た斜視図である。図５は加湿装置の垂直断面側面図である。図６及び図７は加湿装置の正面側及び背面側から見た垂直断面斜視図である。なお、図面に描画した白抜き矢印は送風機により生じる気流の流通経路及び流通方向を示す。
【００１７】
加湿装置１は、図１〜図４に示すように外形が略方形箱型を成す筐体２を備える。筐体２はその背面２ｂに開口した空気の吸込口３と、上面２ｃに開口した空気の吹出口４とを備える。吸込口３は筐体２の背面２ｂの上側に配置され、不図示の集塵フィルタが設けられる。吹出口４は筐体２の上面２ｃの、加湿装置１を正面側から見て右方に配置され、ルーバー４ａが設けられる。筐体２は内部に送風ダクト５、イオン発生装置６、送風機２０及び加湿部３０を備える。
【００１８】
送風ダクト５は筐体２の内部に形成されて吸込口３と吹出口４とを連通させる。送風ダクト５の気流の流通経路上に送風機２０及び加湿部３０が配置される。図５に示すように、送風ダクト５は吸込口３が形成された筐体２の背面２ｂのすぐ内側を背面２ｂに沿って下方に向かって延び、加湿部３０の配置箇所に至る。さらに、送風ダクト５は加湿部３０の配置箇所から筐体２の正面２ａのすぐ内側を正面２ａに沿って上方に向かって延び、送風機２０の配置箇所に至る。吹出口４は送風機２０の上方に配置される。
【００１９】
イオン発生装置６は送風機２０に対して空気流通方向の下流側に配置される。イオン発生装置６は正イオン発生部及び負イオン発生部（いずれも不図示）を備える。正イオン発生部は不図示の正放電電極を備え、負イオン発生部は不図示の負放電電極を備える。二対の正放電電極及び負放電電極は各々針状に形成されて所定の間隔で並べて配置され、送風ダクト５の内部に臨んで設けられる。
【００２０】
イオン発生装置６は正放電電極及び負放電電極に高圧電気発生回路で生成した高電圧を供給して放電を発生させ、イオンを放出する。ここで、イオン発生装置６の正放電電極及び負放電電極には交流波形またはインパルス波形から成る電圧が印加される。正放電電極には正電圧が印加され、コロナ放電による水素イオンが空気中の水分と結合して主としてＨ+（Ｈ2Ｏ）ｍから成る正イオンを発生する。負放電電極には負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００２１】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、イオン発生装置６は送風ダクト５の内部を流通する空気に対して正放電電極及び負放電電極で放電により発生させた正イオン及び負イオンを含ませるように放出することにより、例えば室内の殺菌や脱臭を行うことができる。
【００２２】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００２３】
なお、本実施形態ではイオン発生装置６によって正イオン及び負イオンを発生しているが、正イオンのみまたは負イオンのみを発生しても良い。
【００２４】
また、ここで述べるイオンには帯電微粒子水も含むものとする。このとき、イオン発生装置６は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【００２５】
イオン発生装置６は正イオンまたは負イオンのいずれかと、正イオンまたは負イオンの逆極性に帯電した微粒子水とを発生する静電霧化装置からなるものであっても良い。負イオン若しくは負に帯電した微粒子水が発生すると、室内の殺菌や脱臭に加えて、リラックス効果も生まれるとされている。
【００２６】
送風機２０は例えばファンモータ２１により回転駆動するシロッコファン２２から成る。送風機２０は送風ダクト５の加湿部３０よりも吹出口４に近い側に配置される。送風機２０は吸込口３から筐体２の内部に吸い込んだ空気を加湿部３０に吹き当てる方向に送風ダクト５に気流を発生させる。
【００２７】
なお、シロッコファン２２の空気流通方向下流部の外周側壁部には、イオン発生装置６の正放電電極及び負放電電極が空気流通空間に臨む不図示のイオン発生孔が電極数に対応して設けられる。例えば、イオン発生装置６が正放電電極及び負放電電極を各１個ずつ備える場合、イオン発生孔は各電極に対応して個別に２個設けられる。
【００２８】
加湿部３０は送風ダクト５の、送風機２０に対して空気流通方向上流側に配置される。加湿部３０は水の気化を利用して送風ダクト５を流通する気流を加湿する。加湿部３０が加湿した空気は送風機２０を通過した後、吹出口４から筐体２の外部に吹き出される。
【００２９】
なお、本実施形態では、送風機２０を加湿部３０に対して空気流通方向下流側に配置しているが、この配置に限定されるわけではなく、加湿部３０に対して上流側に配置しても良い。この場合、送風機２０の回転により筐体２の内部に吸い込まれた空気が送風機２０を通過した後、加湿部３０で加湿されて吹出口４から筐体２の外部に吹き出される。
【００３０】
加湿部３０は、図５〜図７に示すように貯水トレイ３１、加湿フィルタ３２及び給水タンク３３を備える。
【００３１】
貯水トレイ３１は筐体２の下部に設けられる。貯水トレイ３１は外形の一部が筐体２の背面２ｂの一部を構成するとともに、加湿装置１の後方から筐体２に対して着脱が可能である。貯水トレイ３１は加湿フィルタ設置部３４と給水タンク設置部３５との２つの領域に区分される。加湿フィルタ設置部３４は送風ダクト５の内側に位置し、給水タンク設置部３５は送風ダクト５の外側に位置する。加湿フィルタ設置部３４と給水タンク設置部３５との間で各々を区分する不図示の隔壁には加湿フィルタ設置部３４と給水タンク設置部３５とを連通させ、水の流通が可能な通水孔が設けられる。
【００３２】
加湿フィルタ３２は貯水トレイ３１の加湿フィルタ設置部３４に着脱可能に設置される。加湿フィルタ３２は例えば不織布で形成され、その下部が貯水トレイ３１に貯留された水に浸かって吸水する。送風ダクト５を流通する空気は加湿フィルタ３２の上部を通過し、このとき水の気化によって加湿される。
【００３３】
給水タンク３３は貯水トレイ３１の給水タンク設置部３５に着脱可能に設置される。給水タンク３３は例えば透明の合成樹脂で形成された縦長の形態を成し、キャップ３３ａに設けられた不図示の給水口を下にしてその長手方向が略垂直を成すように立てて配置される。給水口は貯水トレイ３１の給水タンク設置部３５に連通し、給水タンク３３の内部の水を重力の作用により貯水トレイ３１に補給する。給水タンク３３は給水口以外が密閉されている。給水タンク３３は給水口の箇所に不図示の給水弁を備える。給水弁は例えばバネを用いた弁で構成され、トリチェリの原理によって自動的に貯水トレイ３１の水位ＷＬ（貯水量）を一定に調節する。
【００３４】
なお、給水タンク３３は筐体２の内部に設けたタンク収容部７に、筐体２の上方から挿入されて収容される。タンク収容部７の側壁７ａには光透過性部材から成る光照射部３６が設けられる。さらに、タンク収容部７から光照射部３６を隔てた箇所にはタンクＬＥＤ（Light Emitting Diode）３７が設けられる。タンクＬＥＤ３７は光照射部３６を通して給水タンク３３に向けて光を照射するように配置される。加湿装置１はタンクＬＥＤ３７が照射する光を給水タンク３３の内部の水で反射させることによって筐体２の正面２ａに設けられる後述の窓部２ｍから給水タンク３３の水量を報知することができる。なお、給水タンク３３の水量は給水タンク３３の下方に重量センサなどを設けることによって検出することが可能である。
【００３５】
筐体２の上面２ｃの横方向の略中央部には操作パネル８が配置される。操作パネル８には運転ボタンやリセットボタン、タイマーボタンなどの複数の操作ボタンが設けられる。また、操作パネル８には運転表示ランプや給水ランプなどの複数のランプが設けられる。操作パネル８の下方には加湿装置１の動作を制御するための制御基板９が設けられる。
【００３６】
加湿装置１は筐体２の内部の背面側に設けた電源基板１０と、電源基板１０に接続されて筐体２の外部まで延びる電源コード１１と、電源コード１１の先端に設けた不図示の電源プラグとを備える。加湿装置１は電源基板１０、電源コード１１及び電源プラグを介して商用交流電源から電力の供給を受け、動作する。
【００３７】
筐体２の背面２ｂの上部には温湿度センサ基板１２に設けられた不図示の温湿度センサが配置される。温湿度センサは筐体２の背面２ｂに設けた通気孔２ｄを介して筐体２の外部、すなわち室内の温度及び湿度を検出する。加湿装置１は温湿度センサが検出した温度及び湿度に基づいて加湿量を調整する。
【００３８】
続いて、加湿装置１の筐体２の詳細な構成について、図１〜図７に加えて図８〜図１０を用いて説明する。図８は加湿装置１の窓部の色彩に係る説明図である。図９及び図１０は加湿装置１の転倒時及び転倒後の状態を示す側面図である。
【００３９】
加湿装置１の筐体２は前述のように外形が略方形箱型を成し、前後方向において比較的薄型な形状を有する。そして、筐体２の正面２ａ及び背面２ｂには各々、突出部２ｅ、２ｆが設けられる。
【００４０】
突出部２ｅは筐体２の正面２ａの略垂直面から外側に向かって横方向（前方）に突出する。突出部２ｆは筐体２の背面２ｂの略垂直面から外側に向かって横方向（後方）に突出する。突出部２ｅ、２ｆは各々、筐体２の正面２ａの略垂直面或いは背面２ｂの略垂直面との接合部が加湿装置１の正面側或いは背面側から見て円形を成し、外形が球の一部を構成する湾曲面（ドーム状）で形成される。突出部２ｅ、２ｆと筐体２の正面２ａ或いは背面２ｂとの接合部である円は筐体２の正面２ａ或いは背面２ｂを構成する方形よりも面積が小さい。
【００４１】
突出部２ｅ、２ｆと筐体２の正面２ａ或いは背面２ｂとの接合部である円の直径と、筐体２の正面２ａ或いは背面２ｂの高さと、の長さの比率は概ね３：４の関係になっている。また、加湿装置１を左右横方向から見て（図２及び図５参照）、加湿装置１の上下方向の中央部における、突出部２ｅ、２ｆの部分を除く筐体２の方形箱型部分の厚みと、突出部２ｅ、２ｆの部分を含む筐体２全体の厚みと、の比率は概ね１：１．１〜１：１．８の関係になっている。また、加湿装置１を左右横方向から見て（図５参照）、円弧状に見える突出部２ｅ、２ｆに関して、筐体２の正面２ａの略垂直面或いは背面２ｂの略垂直面との接合部の下端における接線Ｌ１、Ｌ２は正面２ａの略垂直面或いは背面２ｂの略垂直面に対して傾斜をなしている。この傾斜の突出部２ｅ、２ｆの外角α、βは鈍角を成す。
【００４２】
図５に示すように、筐体２の背面２ｂの突出部２ｆには空気の吸込口３が形成される。そして、送風ダクト５の一部が突出部２ｅ、２ｆの内部空間から成る。これにより、突出部２ｆは吸込口３から吸い込まれた空気を加湿部３０に送り込むまでの空気流通空間を十分に広く確保する。さらに、突出部２ｅは加湿部３０を通過した空気を送風機２０に送り込むまでの空気流通空間を十分に広く確保する。
【００４３】
筐体２の正面２ａの突出部２ｅは外壁部２ｇ及び内壁部２ｈを有する二重構造になっている。二重構造の外壁部２ｇは透明部材から成る。そして、送風ダクト５の一部が突出部２ｅの内部空間（二重構造の内壁部２ｈの内側の空間）から成る。二重構造の内壁部２ｈには光表示部２ｋ及び窓部２ｍが形成される。
【００４４】
光表示部２ｋは正面側から見て円形をなす突出部２ｅの中央部に配置される。光表示部２ｋは突出部２ｅの内壁部２ｈよりも内側に加湿装置１の正面側から光が視認可能なフロントＬＥＤ２ｎを備える。加湿装置１はフロントＬＥＤ２ｎを利用して色彩によって室内の湿度や装置の加湿条件などといった情報を表示することができる。
【００４５】
窓部２ｍは正面側から見て円形をなす突出部２ｅの光表示部２ｋよりも径方向外側であって、給水タンク３３に対応する位置に配置される。窓部２ｍは筐体２の外部から給水タンク３３の一部が視認可能になっている。窓部２ｍを利用することにより、筐体２の外部から給水タンク３３の残水量を確認することが可能である。
【００４６】
例えば、加湿装置１は窓部２ｍ及びタンクＬＥＤ３７を用いて、図８に示すように室内の空気の加湿状態を給水タンク３３の水が減少する様子で表現することができる。例えば、加湿装置１は加湿運転時において現在の湿度の目安を、室内が十分に潤っている状態を示す紫色から乾燥状態を示す橙色までの５色のカラーで表現することができる。また例えば、給水タンク３３の水切れ状態を赤色で表現し、イオン単独運転をグレーで表現することができる。このようにして、加湿装置１は室内の空気の加湿状態や運転状態を７色のイルミネーションで表現することができる。
【００４７】
ここで、床に置かれた加湿装置１が前後方向に転倒した場合を考える。図９に示すように、加湿装置１は前方に向かって転倒するとき、突出部２ｅがない場合と比較して、筐体２の正面２ａの略垂直面よりも先に、且つ早いタイミングで突出部２ｅが床に接触する。これにより、筐体２の正面２ａの床への接触時の速度が、突出部２ｅがない場合と比較して低減し、加湿装置１が転倒時に受ける衝撃が緩和される。
【００４８】
また、図１０に示すよう加湿装置１が転倒した場合、貯水トレイ３１からこぼれた水Ｗが突出部２ｅ、２ｆの部分に貯まる。図５〜図７で見られるように、制御基板９や電源基板１０、温湿度センサ基板１２、フロントＬＥＤ２ｎ、タンクＬＥＤ３７は突出部２ｅ、２ｆよりも内側（正面２ａまたは背面２ｂの略垂直面よりも内側）に設置されている。これにより、貯水トレイ３１からこぼれた水Ｗが筐体２の内部の電子部品まで届かない。なお、突出部２ｅ、２ｆの内部空間の容積は貯水トレイ３１の貯水量よりも大きいことが、安全性が高められて望ましい。
【００４９】
また、上記構成の突出部２ｅ、２ｆを加湿装置１に設けることで、加湿装置１の薄型のデザインを保ちつつ貯水トレイ３１の容量を増加させることができる。これにより、貯水トレイ３１に十分な水量（図５の水位ＷＬ）を保持することが可能になる。
【００５０】
＜第２実施形態＞
次に、本発明の第２実施形態に係る加湿装置について、図１１を用いて説明する。図１１は加湿装置の概略側面図である。なお、この実施形態の基本的な構成は先に説明した第１実施形態と同じであるので、第１実施形態と共通する構成要素には前と同じ符号を付してその説明を省略するものとする。
【００５１】
第２実施形態の加湿装置１は、図１１に示すように筐体２の正面２ａ及び背面２ｂに各々、突出部２ｅ、２ｆを備える。
【００５２】
第２実施形態の突出部２ｅ、２ｆは各々、筐体２の正面２ａの略垂直面或いは背面２ｂの略垂直面との接合部が加湿装置１の正面側或いは背面側から見て円形を成し（図１〜図４参照）、外形が球の一部を構成する湾曲面（ドーム状）で形成される。突出部２ｅ、２ｆと筐体２の正面２ａ或いは背面２ｂとの接合部である円の直径は筐体２の正面２ａ或いは背面２ｂの高さとほぼ同じになっている。
【００５３】
この場合、加湿装置１が前方或いは後方に向かって転倒するとき、床に対して筐体２の正面２ａ或いは背面２ｂをより一層緩やかに接触させることができる。したがって、第１実施形態と比較してさらに転倒時に加湿装置１が受ける衝撃が緩和される。
【００５４】
＜第３実施形態＞
次に、本発明の第３実施形態に係る加湿装置について、図１２を用いて説明する。図１２は加湿装置の概略側面図である。なお、この実施形態の基本的な構成は先に説明した第１実施形態と同じであるので、第１実施形態と共通する構成要素には前と同じ符号を付してその説明を省略するものとする。
【００５５】
第３実施形態の加湿装置１は、図１２に示すように筐体２の正面２ａ及び背面２ｂに各々、突出部２ｅ、２ｆを備える。
【００５６】
第３実施形態の突出部２ｅ、２ｆは各々、筐体２の正面２ａの略垂直面或いは背面２ｂの略垂直面との接合部が加湿装置１の正面側或いは背面側から見て矩形を成し、側面側から見て台形を成す形態で形成される。この実施形態においても、突出部２ｅ、２ｆが筐体２の正面２ａの略垂直面或いは背面２ｂの略垂直面との接合部の下端において傾斜、すなわち鈍角を成していることから、転倒時に一旦突出部の傾斜に接触することで転倒時の衝撃を低減することができる。
【００５７】
さらに、この場合においても、第１及び第２実施形態と同等の作用、効果を得ることができる。
【００５８】
上記第１〜第３の実施形態のように、本実施形態の加湿装置１は、吸込口３及び吹出口４を開口する筐体２と、筐体２の内部に形成されて吸込口３と吹出口４とを連通させる送風ダクト５と、送風ダクト５に配置されて送風ダクト５に気流を発生させる送風機２０と、送風ダクト５を流通する気流を加湿する加湿部３０と、加湿部３０に配置される貯水トレイ３１と、を備える。筐体２はその外形が略方形箱型の正面２ａ及び背面２ｂから外側に向かって横方向に突出する突出部２ｅ、２ｆを備え、送風ダクト５の一部が突出部２ｅ、２ｆの内部空間から成る。
【００５９】
この構成によれば、例えば床に置かれた加湿装置１が、突出部２ｅが設けられた筐体２の正面２ａが下になるように転倒する場合、突出部２ｅがない場合と比較して、正面２ａの略垂直面よりも先に、且つ早いタイミングで突出部２ｅが床に接触する。これにより、突出部２ｅが設けられた正面２ａの床への接触時の速度を、突出部２ｅがない場合と比較して低減させることができる。したがって、加湿装置１が転倒時に受ける衝撃を緩和することができ、加湿装置１の機械的破損の発生を抑制することが可能である。さらに、送風ダクト５の一部が突出部２ｅ、２ｆの内部空間から成るので、加湿装置１が転倒したときに貯水トレイ３１からこぼれた水Ｗが突出部２ｅ、２ｆの部分に貯まる。これにより、貯水トレイ３１からこぼれた水Ｗが筐体２の内部の電子部品まで届かないようにすることができ、加湿装置１の電気的破損の発生を抑制することが可能である。このようにして、破損に対する安全性の向上が図られた加湿装置１を提供することできる。
【００６０】
また、加湿装置１は、突出部２ｅ、２ｆの外形が湾曲面で形成されている。
【００６１】
この構成によれば、加湿装置１が転倒時に受ける衝撃をより一層緩和することができる。したがって、加湿装置１の機械的破損の発生を抑制する効果を高めることが可能である。
【００６２】
また、加湿装置１は、突出部２ｆに吸込口３が形成されている。
【００６３】
この構成によれば、吸込口３から吸い込まれた空気を加湿部３０に送り込むまでの空気流通空間を十分に広く確保することができる。これにより、加湿装置１による加湿効率を向上させることが可能である。
【００６４】
また、加湿装置１は、突出部２ｅ、２ｆの内部空間の容積が貯水トレイ３１の貯水量よりも大きい。
【００６５】
この構成によれば、加湿装置１の転倒時に、貯水トレイ３１からこぼれた水Ｗが筐体２の内部の電子部品まで届かないようにする作用を向上させることができる。したがって、加湿装置１の電気的破損の発生を抑制する効果を高めることが可能である。
【００６６】
また、加湿装置１は、突出部２ｅ、２ｆが外壁部２ｇ及び内壁部２ｈを有する二重構造を成すとともに外壁部２ｇが透明部材から成る。
【００６７】
この構成によれば、加湿装置１の前後方向における厚み（奥行き）が比較的薄くなったように見えるという視覚的効果を得ることができる。したがって、加湿装置１を室内に設置するときに感じられる虞がある圧迫感を軽減することが可能である。
【００６８】
以上、本発明の実施形態につき説明したが、本発明の範囲はこれに限定されるものではなく、発明の主旨を逸脱しない範囲で種々の変更を加えて実施することができる。
【産業上の利用可能性】
【００６９】
本発明は加湿装置において利用可能である。
【符号の説明】
【００７０】
１    加湿装置
２    筐体
２ａ    正面
２ｂ    背面
２ｃ    上面
２ｅ、２ｆ    突出部
２ｇ    外壁部
２ｈ    内壁部
２ｋ    光表示部
２ｍ    窓部
２ｎ    フロントＬＥＤ
３    吸込口
４    吹出口
５    送風ダクト
６    イオン発生装置
２０    送風機
３０    加湿部
３１    貯水トレイ
３２    加湿フィルタ
３３    給水タンク
３７    タンクＬＥＤ
【図１】
0006527779.tif 000002
【図２】
0006527779.tif 000003
【図３】
0006527779.tif 000004
【図４】
0006527779.tif 000005
【図５】
0006527779.tif 000006
【図６】
0006527779.tif 000007
【図７】
0006527779.tif 000008
【図８】
0006527779.tif 000009
【図９】
0006527779.tif 000010
【図１０】
0006527779.tif 000011
【図１１】
0006527779.tif 000012
【図１２】
0006527779.tif 000013